(57)【要約】【課題】洗濯・乾燥が終了して、洗濯前よりも嵩高が高まる布団や毛布などであっても、コインランドリー店舗等の内部で容易に減容状態で包装することができる減圧包装装置を提供する。【解決手段】吸気口から吸気した空気を排気口から外部に排気する減圧ポンプ３と、該減圧ポンプ３の吸気口に接続された吸気管系５と、前記吸気口とは反対側の吸気管系５の端部に設けられた吸気口部８と、使用者が使用の対価の支払い操作を行うコインセレクター６と、コインセレクター６から稼働許可信号が入力されることを条件として前記した減圧ポンプ３の作動を制御する制御装置７と、を備え、可撓性フィルム材からなり掃気口２３と逆止弁２６を備えた包装袋２１内に包装対象物を入れた状態で前記吸気口部８を掃気口２３に接続し、包装袋２１内の空気を減圧ポンプ３で吸引して内部圧力を減少させた状態で包装する。【選択図】図１
2010179933.tif 000002
【特許請求の範囲】
【請求項１】
吸気口から吸気した空気を排気口から外部に排気する減圧ポンプと、該減圧ポンプの吸気口に接続された吸気管系と、前記吸気口とは反対側の吸気管系の端部に設けられた吸気口部と、使用者が使用の対価の支払い操作を行う対価支払手段と、対価支払手段から稼働許可信号が入力されることを条件として前記した減圧ポンプの作動を制御する制御装置と、を備え、
可撓性フィルム材からなり掃気口と逆止弁を備えた包装袋内に包装対象物を入れた状態で前記吸気口部を掃気口に接続し、包装袋内の空気を減圧ポンプで吸引して内部圧力を減少させた状態で包装することを特徴とする減圧包装装置。
【請求項２】
前記吸気管系を支持する管支持部を減圧ポンプよりも高い位置に設け、該管支持部により吸気管系を支持して先端側を垂下すると共に、先端の吸気口部を昇降可能に吊り下げ、吸気口部の下方に作業台を設置し、使用者が吸気口部を引き降ろして作業台上の包装袋の掃気口に接続可能としたことを特徴とする請求項１に記載の減圧包装装置。
【請求項３】
前記包装袋を載置可能な作業台を備え、該作業台の天板に吸気口部を取り付け、包装袋内に包装対象物を入れた状態で掃気口を天板の前記吸気口部に接続し、包装袋内の空気を減圧ポンプで吸引して包装することを特徴とする請求項１に記載の減圧包装装置。
【請求項４】
前記包装袋を載置可能な作業台を備え、該作業台の奥に壁部を起立し、該壁部に前記吸気口部を取り付け、包装袋内に包装対象物を入れた状態で掃気口を壁部の吸気口部に接続し、包装袋内の空気を減圧ポンプで吸引して包装することを特徴とする請求項１に記載の減圧包装装置。
【発明の詳細な説明】
【技術分野】
【０００１】
本発明は、主としてコインランドリーに設置した状態で使用に供され、布団、毛布などの寝具類、カーペットなどの大型の洗濯物、まとまった量の衣服など嵩張るものを包装袋内に入れて減圧することで減容状態で包装可能な減圧包装装置に関する。
【背景技術】
【０００２】
近年、コインランドリー店舗の使用が活発になってきており、大型洗濯・乾燥機の導入により、布団、毛布などの寝具類のほかにもカーペットなどの大型の洗濯物の洗濯、乾燥ができるようになっている（特許文献１）。
【先行技術文献】
【特許文献】
【０００３】
【特許文献１】特開２００４−１２１４７９号公報
【発明の概要】
【発明が解決しようとする課題】
【０００４】
洗濯・乾燥が終了した布団等は、内部に充分な空気が包含されて新品に近いふわふわ状態に復元されるので、洗濯前に比べると、かなり嵩張る。このため、コインランドリー店舗において、布団や毛布等の寝具やカーペット等を洗濯すると、洗濯・乾燥が終了した後に布団等を持ち帰る場合の取り扱いが面倒であった。
また、洗濯が終了して綺麗になった布団等をそのままの状態で自宅まで運ぶと、途中で汚れが付着するなどの不都合も生じることがあった。
【０００５】
本発明は、前記した事情に鑑み提案されたもので、その目的は、洗濯・乾燥が終了して、洗濯前よりも嵩高が高まる布団や毛布などであっても、コインランドリー店舗等の内部で容易に減容状態で包装することができる減圧包装装置を提供しようとするものである。
【課題を解決するための手段】
【０００６】
本発明は、上記目的を達成するために提案されたものであり、請求項１に記載のものは、吸気口から吸気した空気を排気口から外部に排気する減圧ポンプと、該減圧ポンプの吸気口に接続された吸気管系と、前記吸気口とは反対側の吸気管系の端部に設けられた吸気口部と、使用者が使用の対価の支払い操作を行う対価支払手段と、対価支払手段から稼働許可信号が入力されることを条件として前記した減圧ポンプの作動を制御する制御装置と、を備え、
可撓性フィルム材からなり掃気口と逆止弁を備えた包装袋内に包装対象物を入れた状態で前記吸気口部を掃気口に接続し、包装袋内の空気を減圧ポンプで吸引して内部圧力を減少させた状態で包装することを特徴とする減圧包装装置である。
【０００７】
請求項２に記載のものは、前記吸気管系を支持する管支持部を減圧ポンプよりも高い位置に設け、該管支持部により吸気管系を支持して先端側を垂下すると共に、先端の吸気口部を昇降可能に吊り下げ、吸気口部の下方に作業台を設置し、使用者が吸気口部を引き降ろして作業台上の包装袋の掃気口に接続可能としたことを特徴とする請求項１に記載の減圧包装装置である。
【０００８】
請求項３に記載のものは、前記包装袋を載置可能な作業台を備え、該作業台の天板に吸気口部を取り付け、包装袋内に包装対象物を入れた状態で掃気口を天板の前記吸気口部に接続し、包装袋内の空気を減圧ポンプで吸引して包装することを特徴とする請求項１に記載の減圧包装装置である。
【０００９】
請求項４に記載のものは、前記包装袋を載置可能な作業台を備え、該作業台の奥に壁部を起立し、該壁部に前記吸気口部を取り付け、包装袋内に包装対象物を入れた状態で掃気口を壁部の吸気口部に接続し、包装袋内の空気を減圧ポンプで吸引して包装することを特徴とする請求項１に記載の減圧包装装置である。
【発明の効果】
【００１０】
本発明によれば、洗濯・乾燥が終了して嵩高が増した布団等の包装対象物を包装袋内に収納し、包装袋内の空気を減圧ポンプで吸引して内部圧力を減少させた状態で包装することができるので、洗濯・乾燥が終了して嵩高が増した布団等であっても清浄な状態を維持しつつ減容した状態で包装することができ、利便性に優れる。
【００１１】
そして、吸気管系を支持する管支持部を減圧ポンプよりも高い位置に設け、該管支持部により吸気管系を支持して先端側を垂下すると共に、先端の吸気口部を昇降可能に吊り下げ、吸気口部の下方に作業台を設置し、使用者が吸気口部を引き降ろして作業台上の包装袋の掃気口に接続可能に構成すると、吸気管系の取り回しが容易となり、作業性の向上を図ることができる。
【００１２】
また、前記包装袋を載置可能な作業台を備え、該作業台の天板に吸気口部を取り付け、包装袋内に包装対象物を入れた状態で掃気口を天板の前記吸気口部に接続し、包装袋内の空気を減圧ポンプで吸引して包装するように構成すると、吸気管系を取り回す必要がなく、また、包装袋を作業台上に載せた状態で掃気口を天板の吸気口部に位置合わせすればよいので、操作が一層容易となる。
【００１３】
そして、また、前記包装袋を載置可能な作業台を備え、該作業台の奥に壁部を起立し、該壁部に前記吸気口部を取り付け、包装袋内に包装対象物を入れた状態で掃気口を壁部の吸気口部に接続し、包装袋内の空気を減圧ポンプで吸引して包装するように構成すると、吸気管系を取り回す必要がなく、また、掃気口を天板の吸気口部に位置合わせし易い。
【図面の簡単な説明】
【００１４】
【図１】（ａ）は減圧包装装置の正面図、（ｂ）はその減圧包装装置の平面図、（ｃ）はその減圧包装装置の斜視図である。
【図２】吸気管系を減圧ポンプよりも高い位置で支持して吸気口部を吊り下げるように構成した減圧包装装置の実施形態の正面図である。
【図３】（ａ）は作業台の天板に吸気口部を上向きに取り付けた減圧包装装置の実施形態の正面図、（ｂ）はその減圧包装装置の断面図、（ｃ）はその減圧包装装置の平面図である。
【図４】（ａ）は作業台の天板に規制壁部を立設した減圧包装装置の実施形態の正面図、（ｂ）はその減圧包装装置の断面図、（ｃ）はその減圧包装装置の平面図である。
【図５】（ａ）は作業台の奥に設けた壁部に吸気口部を使用者に向けて取り付けた減圧包装装置の実施形態の正面図、（ｂ）はその減圧包装装置の断面図、（ｃ）はその減圧包装装置の平面図である。
【図６】（ａ）は作業台の奥の壁部に規制壁部を立設した減圧包装装置の実施形態の正面図、（ｂ）はその減圧包装装置の断面図、（ｃ）はその減圧包装装置の平面図である。
【発明を実施するための形態】
【００１５】
以下、本発明を実施するための最良の形態を、添付図面を参照して説明する。なお、以下に述べる実施の形態では、本発明の好適な具体例として種々の限定がされているが、本発明の範囲は、以下の説明において特に本発明を限定する旨の記載がない限り、これらの態様に限られるものではない。
【００１６】
図１（ａ）は減圧包装装置の正面図、図１（ｂ）はその平面図、図１（ｃ）はその斜視図である。
減圧包装装置１は、筐体２の内部に、吸気口（図示せず）から吸気した空気を排気口（図示せず）から外部に排気する通称真空ポンプとも呼ばれている減圧ポンプ３と、該減圧ポンプ３の吸気口に一端が接続されて着脱接続口４が筐体２の正面に開口した第１吸気管５ａと、使用者が使用の対価の支払い操作を行う対価支払手段としてのコインセレクター６と、コインセレクター６から稼働許可信号が入力されることを条件として前記した減圧ポンプ３の作動を制御する制御装置７と、を備え、前記着脱接続口４に一端を接続してフレキシブルな第２吸気管５ｂの先端には吸気口部８が取り付けられている。なお、本実施形態では、第１吸気管５ａと第２吸気管５ｂと両者を接続する着脱接続口４とによって吸気管系５が構成されている。
【００１７】
減圧ポンプ３は、吸気口から吸気した空気を排気口から外部に排気する機能を備えていればどのような構成でもよいが、本実施形態では、ポンプ本体の上部に真空度を設定するバキュームコントローラー１０を備えると共に、真空度を表示する圧力ゲージ１１を筐体２の正面に備え、実際の真空度を外部から読み取ることができるようになっている。
【００１８】
対価支払手段は、使用者が使用の対価の支払い操作を行うことができればどのような構成でもよいが、本実施形態では硬貨を投入するコインセレクター６を用いており、硬貨投入口１２と、硬貨返却口１３とを筐体２の正面に配置し、硬貨投入口１２に投入された硬貨が適正であると判断されると制御装置７に適正信号（稼働許可信号に相当）を送信し、硬貨が適正でないときには当該硬貨を硬貨返却口１３に返却するように構成されている。
【００１９】
制御装置７は、コインセレクター６から適正信号を受けると、減圧ポンプ３を作動するとともに具備しているタイマー（図示せず）を起動し、使用者が一時停止スイッチ１５を操作するか或いはタイマーに設定されている所定時間（例えば、３分間）が満了した場合には減圧ポンプ３を停止する電気的な制御を行う。
【００２０】
前記した第２吸気管５ｂは、筐体２の外部で使用者が取り扱う管であり、筐体２の内部に配置された第１吸気管５ａと接続されて本発明の吸気管系として機能するものである。具体的な構成は、直系２２ミリのフレキシブルなスプリングホースであり、基端が筐体２の着脱接続口４に接続されて先端に吸気口部８を取り付けてある。なお、吸気管は、これに限らず適宜選択して用いることができる。
【００２１】
この吸気口部８は、第２吸気管５ｂに接続した管状の吸気グリップ１６と、この吸気グリップ１６の先端に取り付けた蛇腹状の吸着パッド１７とからなり、吸着パッド１７の先端がラッパ状に開口している。
【００２２】
次に、前記した構成からなる減圧包装装置１の操作について説明する。
なお、減圧包装装置１はコインランドリーの店内に洗濯・乾燥機（図示せず）や包装袋自動販売機（図示せず）と共に設置されており、以下の説明では包装対象物の一種である布団を洗濯・乾燥した場合を例に挙げて説明する。
洗濯乾燥機内に布団を投入して所定の料金を支払うと共に所定の操作を行うと、洗濯と乾燥が自動的に行われる。そして、終了すると、開閉扉のロックが解除されるので、洗濯と乾燥が行われて清浄化された布団を取り出すことができる。
なお、布団２０を取り出す前に、予め自動販売機で包装袋２１を購入し、減圧包装装置１と一体化された作業台２２上で掃気口２３を上にした状態で包装袋２１を展開しておくことが望ましい。
【００２３】
包装袋２１は、ビニールフィルムなどの可撓性フィルム材からなる比較的大きな四角形の袋体であり、長い方の一辺の全長に開口部２４を有し、該開口部２４には気密用のファスナー２５を設けて閉じると気密状態を維持可能とし、また、開口部２４とは別個に掃気口２３を設け、この掃気口２３には内部から外部への通気は許容するが外部から内部への通気は遮断する逆止弁２６を備え、布団圧縮袋などと称して販売されている。なお、この包装袋２１は、布団用であれば、縦９０センチ×横１１０センチ、毛布用であれば、縦７０センチ×横１００センチ、座布団２０用であれば、縦９０センチ×横１００センチなどのように包装対象物の大きさと押入れに丁度入る大きさに設定されている。
【００２４】
洗濯・乾燥機から布団２０を取り出したならば、これを作業台２２上に載せ、展開した包装袋２１の開口部２４を開き、この開口部２４から包装袋２１内に入れる。このとき、洗濯・乾燥が終了した布団２０は、嵩が増大しているので、丁寧に折畳んだ状態で包装袋２１内に入れ、布団２０の角を包装袋２１の隅角部に合わせるようにして収納する。そして、収納し終わったならば、開口部２４のファスナー２５を確実に閉じ、これで減圧包装の準備が整ったことになる。
【００２５】
準備が整ったならば、予め手で吸気口部８の吸気グリップ１６を握って下に向けた吸着パッド１７の先端開口を包装袋２１の掃気口２３に押し当てる。そして、この状態でコインセレクター６の硬貨投入口１２内に所定の硬貨、例えば、１００円硬貨を投入する。なお、吸気管系の第２吸気管５ｂはフレキシブル管なので、吸気口部８を手で持って吸着パッド１７の先端開口の位置を自由自在に調整することができ、包装袋２１の掃気口２３に正確に位置合せすることができる。
【００２６】
所定金額の硬貨が硬貨投入口１２に投入されると、コインセレクター６が投入された硬貨の適否を判断し、不適正であると判断した場合にはその硬貨を硬貨返却口１３に返却するが、適正であると判断した場合には制御装置７に適正信号を送り、その硬貨を硬貨貯留金庫内に取り込む。制御装置７は、適正信号を受信すると、制御装置７が減圧ポンプ３を始動すると共に、タイマーを始動して所定時間（例えば、５分間）の計測を開始する。
なお、このスタートと同時にランプを点灯するなどして使用者に減圧作動中である旨を報知するように構成してもよい。
【００２７】
減圧ポンプ３が始動すると、吸着パッド１７の開口から吸気するので、包装袋２１内の空気が掃気口２３から減圧ポンプ３に吸引されて包装袋２１内の空気圧が急激に低下する。このため、包装袋２１は、大気圧に押し潰され、これにより内部の布団２０も大気圧に押し潰されて急激に厚みを減少させる。そして、十分に掃気すると、布団２０が板状になり、十分に減容する。なお、この掃気中に布団２０の形を再度整えたい場合、あるいは吸着パッド１７の開口と包装袋２１の掃気口２３との位置関係を直したい場合には、一時停止スイッチ１５を操作する。この一時停止スイッチ１５を操作すると、制御装置７が減圧ポンプ３の作動を停止するとともに、一時停止スイッチ１５のランプが点灯し、使用者に一時停止中であることを報知する。減圧ポンプ３が停止すると、吸着パッド１７を外して包装袋２１の開口部２４を開いて布団２０の形を整えることができる。布団２０の位置修正や吸着パッド１７の位置修正が終了したならば、再スタートスイッチ３０を操作する。すると、再スタートスイッチ３０からの信号を受けた制御装置７が減圧ポンプ３を再始動して掃気を再開する。
【００２８】
十分に減圧が行われて内部の布団２０が板状に減容したならば、前記と同様に一時停止スイッチ１５を操作して減圧ポンプ３を停止し、吸着パッド１７を掃気口２３から外して減圧包装を終了する。なお、減圧ポンプ３を一時停止した状態にしておいても、タイマーに予め設定された所定時間が経過すると、制御装置７が、電気的に再スタートスイッチ３０の無効化を図り、操作されても減圧ポンプ３を作動しない停止状態を維持する。但し、再度硬貨が投入されると、コインセレクター６からの適正信号を受けて減圧ポンプ３を再度作動する。
【００２９】
減圧包装が終了して吸着パッド１７を掃気口２３から外しても、包装袋２１は、逆止弁２６を備えているので掃気口２３から外気を吸引することはなく、減容状態を維持することができる。したがって、この板状に減容した状態で布団２０を自宅などに持ち帰ることができ、押入れ等に収納することができる。そして、コインランドリーから持ち帰る間においても、また、持ち帰って押入れ等に収納するまでの間においても、布団２０は包装袋２１内に収納された状態で保護されているので、汚れることがない。また、板状に減容した状態で収納することができるので、押し入れ内や納戸などの限られたスペースであっても、自然状態のままの布団２０を収納したときよりも、多くの布団２０を収納することができ、収納スペース利用効率を著しく高めることができ、しかも、収納中の汚れを包装袋２１によって有効に防止することができる。
【００３０】
図１に示す実施形態では、吸気管系５の第２吸気管５ｂを筐体２の前面の着脱接続口４に接続して、使用者が吸気口部８を持ち上げて作業台２２上の包装袋２１の掃気口２３に接続したが、吸気管系５を支持する管支持部３１を減圧ポンプ３よりも高い位置に設け、該管支持部３１により吸気管系５を支持して先端側を垂下すると共に、先端の吸気口部８を昇降可能に吊り下げ、吸気口部８の下方に作業台２２を設置し、使用者が吸気口部８を引き降ろして作業台２２上の包装袋２１の掃気口２３に接続可能となるように構成してもよい。例えば、図２に示す実施形態では、吸気管系５の第２吸気管５ｂを一旦は減圧ポンプ３よりも高い位置まで延ばして管支持部３１により途中を支持し、この管支持部３１から先方の管を螺旋状管で構成し、自然状態では螺旋状部分５ｃの弾性復元力で先端の吸気口部８が作業台２２よりも高い位置で停止し、使用者が吸気口部８の手で持って引き下げると螺旋状部分５ｃが伸びて吸気口部８の吸着パッド１７の開口を包装袋２１の掃気口２３に接続できるように構成してある。
【００３１】
この様に構成すると、吸気口部８の取り扱いが容易になるだけではなく、吸気管系５の入口である吸気口部８が下に位置して内部の流路が次第に上昇する形態となるので、万一、吸気口部８から釦などの異物を吸引しても当該異物が上昇し難くなり、減圧ポンプ３に吸い込まれて故障を引き起こすなどのトラブルを未然に防止することができる。また、図面には示していないが、異物の吸引防止のために、減圧ポンプ３の吸気口の上流側にフィルターを設け、該フィルターにより異物が減圧ポンプ３の内部に吸引されていることを未然に防止する構成を採ることが望ましい。
なお、吸気管系５を吊り下げる構成は、前記した螺旋状部分を有する管材を使用するほかに、吸気管系５をコイルスプリングで吊り下げたり、吸気管系５をリールに巻いた状態で設置し、使用者が吸気口部８を手で引き下げるとリールが回転して吸気管系５が必要な分だけ伸びるように構成してもよい。
【００３２】
図３に示す減圧包装装置１の他の実施形態は、作業台２２の天板３２に円形の穴を開設し、該穴内に吸気口部８を上向きに取り付け、該吸気口部８と減圧ポンプ３の吸気口との間を吸気管系５で接続したものである。この減圧包装装置１の主要な構成は前記した実施形態と同様であるので説明を省略するが、吸気口部８を天板３２に上向きに固定したので、吸気管系５を筐体２の内部にすべて収納することができ、吸気管系５が邪魔にならないし、また、吸気管系５を取り回す必要がないので、可撓性の吸気管系５の第２吸気管５ｂが疲労して破損するなどのトラブルも殆どなくなる。また、包装袋２１内に包装対象物を入れて掃気口２３を下に向けた状態で包装袋２１の位置を調整することで掃気口２３を天板３２の前記吸気口部８の位置に合わせれば、この状態で手を離しても位置がずれることがない。したがって、両手が自由になり、コインセレクター６の硬貨投入口１２に硬貨を投入する作業も利き腕を使ってでき、容易である。
【００３３】
なお、硬貨を投入することで減圧ポンプ３が作動すると、包装袋２１の掃気口２３を天板３２の吸気口部８上に載せておけば吸気口部８の吸引作用で掃気口２３が引き付けられて確実に接続され、包装袋２１内の空気を減圧ポンプ３で吸引することができる。したがって、前記した実施形態と同様に、布団２０を包装袋２１内に減容した状態で包装することができる。そして、本実施形態では吸気管系５を取り回す必要がないので、女性でも簡単な操作で減容包装を容易に行うことができる。
【００３４】
図４に示す減圧包装装置１の他の実施形態は、図３に示す減圧包装装置１の構成に加えて袋体の大きさを規制する規制壁部３４を天板３２の奥と左右のそれぞれに立設して天板３２上をコ字状に囲ったものである。この規制壁部３４は、標準的な押入れの棚の大きさに合わせて左右の幅と奥行きの寸法を設定したものである。この減圧包装装置１において布団２０を減容包装する場合、図３の減圧包装装置１と同様に、掃気口２３を下に向けた状態で包装袋２１を展開し、洗濯・乾燥が終了した布団２０を包装袋２１内に収納する。このとき、布団２０を入れた包装袋２１が丁度規制壁部３４に接触する状態にまで均し、この状態で包装袋２１の内部を減圧して減容包装する。この様にして包装すると、板状に減容包装された布団２０の大きさが丁度押入れの棚の大きさに調整されることになるので、押入れの収納容積を有効に使用することができ、無駄な空間を減少させて収納効率を高めることができる。
【００３５】
図５に示す減圧包装装置１の他の実施形態は、包装袋２１を載置可能な作業台２２を備え、該作業台２２の奥に壁部３５を起立し、該壁部３５に貫通穴を開設し、該貫通穴内に吸気口部８を前方（使用者側）に向けて取り付け、壁部３５の裏側の吸気口部８と筐体２内の減圧ポンプ３との間を吸気管系５で接続したものである。この減圧包装装置１の主要な構成は、図１乃至図４に示した前記した実施形態と同様であるので説明を省略するが、吸気口部８を天板３２奥の壁部３５に前向き（使用者側に向けた状態）に固定したので、使用者から吸気管系５を隠して見えない状態で設置でき、体裁が良好であり、吸気管系５が邪魔にならない。また、吸気管系５を取り回す必要がないので、可撓性の吸気管系５の第２吸気管５ｂが疲労して破損するなどのトラブルも殆どなくなる。また、包装袋２１内に包装対象物を入れて掃気口２３を壁部３５に向けた状態で包装袋２１の位置を調整することができ、位置調整が容易である。
【００３６】
そして、図６に示すように、壁部３５に規制壁部３４を立設してもよい。この規制壁部３４は、標準的な押入れの棚の大きさに合わせて左右の幅と上下高さの寸法を設定したものである。したがって、この規制壁部３４に合わせて布団２０を減容包装すると、図４の減圧包装装置１と同様に、板状に減容包装された布団２０の大きさが丁度押入れの棚の大きさに調整されることになり、これにより、押入れの収納容積を有効に使用することができ、無駄な空間を減少させて収納効率を高めることができる。
【００３７】
なお、本発明は、前記した実施形態に限定されるものではなく、適宜設計変更することができる。例えば、前記した対価支払手段は、硬貨を投入するコインセレクター６を例に挙げたが、これに限定されるものではない。具体的には、リーダー・ライターによりプリペイドカードに記憶した金額を読み取り・減額書き込みすることにより、あるいは回線等により接続したセンターを介して決済するように構成してもよい。また、電子マネーシステムの読み取り機を用いてもよい。いずれの対価支払手段においても、使用者が減圧包装装置１の使用の対価の支払い操作を行うことができ、対価を支払う操作が適正であれば稼働許可信号を制御装置７に送信する機能を備えていればよい。  
【符号の説明】
【００３８】
１  減圧包装装置
２  筐体
３  減圧ポンプ
４  着脱接続口
５  吸気管系
６  コインセレクター
７  制御装置
８  吸気口部
１２  硬貨投入口
１３  硬貨返却口
１５  一時停止スイッチ
１６  吸気グリップ
１７  吸気パッド
２０  布団
２１  包装袋
２２  作業台
２３  掃気口
２４  包装袋の開口部
２６  逆止弁
３０  再スタートスイッチ
３１  管支持部
３２  天板
３４  規制壁部
３５  壁部
【図１】
2010179933.tif 000003
【図２】
2010179933.tif 000004
【図３】
2010179933.tif 000005
【図４】
2010179933.tif 000006
【図５】
2010179933.tif 000007
【図６】
2010179933.tif 000008